【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
双方向テレビ番組ガイドを使用して複数の番組を記録する方法であって、該方法は、
ランダムアクセスデジタル格納装置に第１のテレビ番組を記録するために、双方向テレビ番組ガイドを用いてなされた第１のユーザ選択を受信することと、
該第１のユーザ選択の受信に応答して、前記第１のテレビ番組に対応するチャネルに第１のチューナを同調させることと、
該第１のチューナの出力を前記ランダムアクセスデジタル格納装置に記録することと、
その放送時間が該第１のテレビ番組の放送時間と少なくとも部分的に重なる第２のテレビ番組を該ランダムアクセスデジタル格納装置に記録するために、該双方向テレビ番組ガイドを用いてなされた第２のユーザ選択を受信することと、
該第２のユーザ選択の受信に応答して、該第２のテレビ番組に対応するチャネルに第２のチューナを同調させることと、
該第１のチューナの出力と共に該第２のチューナの出力を該ランダムアクセスデジタル格納装置に同時に記録することと
を包含する、方法。
【請求項２】
番組リストのディレクトリを提供することをさらに包含する、請求項１に記載の方法。
【請求項３】
前記番組リストのディレクトリを提供することが、前記第１のテレビ番組に対応する第１の番組リストと前記第２のテレビ番組に対応する第２の番組リストとを表示することをさらに包含する、請求項２に記載の方法。
【請求項４】
前記第１のチューナおよび前記第２のチューナが、前記デジタル格納装置に配置されている、請求項１に記載の方法。
【請求項５】
前記第１のテレビ番組に関連する番組情報と前記第２のテレビ番組に関連する番組情報とを記録することをさらに包含する、請求項１に記載の方法。
【請求項６】
その放送時間が前記第１のテレビ番組および前記第２のテレビ番組の放送時間に少なくとも部分的に重なる少なくとも１つの他のテレビ番組を前記デジタル格納装置に記録する少なくとも１つの他のユーザ選択を受信することと、
該少なくとも１つの他のユーザ選択の受信に応答して、該少なくとも１つの他のテレビ番組に対応する少なくとも１つの他のチャネルに少なくとも１つの他のチューナを同調させることと、
前記第１のチューナおよび前記第２のチューナの出力と共に該少なくとも１つの他のチェーナの出力を該デジタル格納装置に同時に記録することと
をさらに包含する、請求項１に記載の方法。
【請求項７】
前記第１のテレビ番組および前記第２のテレビ番組のうちの一方をユーザが再生したいという希望を示すときに、検索リクエストを生成することと、
該第１のテレビ番組および該第２のテレビ番組のうちの所望のテレビ番組を前記デジタル格納装置から検索することと、
該所望のテレビ番組を再生することと
をさらに包含する、請求項１に記載の方法。
【請求項８】
前記所望のテレビ番組を高速早送りしたいという希望を示す機会を前記ユーザに与えることと、
該所望のテレビ番組を高速早送りしたいという希望を該ユーザが示したことに応答して、該所望のテレビ番組を高速早送りすることと
をさらに包含する、請求項７に記載の方法。
【請求項９】
前記所望のテレビ番組を巻き戻したいという希望を示す機会を前記ユーザに与えることと、
該所望のテレビ番組を巻き戻したいという希望を該ユーザが示したことに応答して、該所望のテレビ番組を巻き戻すことと
をさらに包含する、請求項７に記載の方法。
【請求項１０】
前記所望のテレビ番組を停止させたいという希望を示す機会を前記ユーザに与えることと、
該所望のテレビ番組を停止させたいという希望を該ユーザが示したことに応答して、該所望のテレビ番組を停止させることと
をさらに包含する、請求項７に記載の方法。
【請求項１１】
前記所望のテレビ番組を一時停止させたいという希望を示す機会を前記ユーザに与えることと、
該所望のテレビ番組を一時停止させたいという希望を該ユーザが示したことに応答して、該所望のテレビ番組を一時停止させることと
をさらに包含する、請求項７に記載の方法。
【請求項１２】
テレビ番組が記録される双方向テレビ番組ガイドシステムであって、該双方向テレビ番組ガイドシステムは、
第１のテレビ番組をランダムアクセスデジタル格納装置に記録するために、双方向テレビ番組ガイドを用いてなされた第１のユーザ選択を受信する手段と、
該第１のユーザ選択の受信に応答して、該第１のテレビ番組に対応するチャネルに第１のチューナを同調させる手段と、
該第１のチューナの出力を該ランダムアクセスデジタル格納装置に記録する手段と、
その放送時間が前記第１のテレビ番組の放送時間と少なくとも部分的に重なる第２のテレビ番組を、該ランダムアクセスデジタル格納装置に記録するために、双方向テレビ番組ガイドを用いてなされた第２のユーザ選択を受信する手段と、
該第２のユーザ選択の受信に応答して、該第２のテレビ番組に対応するチャネルに第２のチェーナを同調させる手段と、
該第１のチューナの出力と共に該第２のチューナの出力を該ランダムアクセスデジタル格納装置に同時に記録する手段と
を備える、双方向テレビ番組ガイドシステム。
【請求項１３】
番組リストのディレクトリを提供する手段をさらに備える、請求項１２に記載のシステム。
【請求項１４】
前記番組リストのディレクトリを提供する手段が、前記第１のテレビ番組に対応する第１の番組リストと前記第２のテレビ番組に対応する第２の番組リストとを表示する手段をさらに備える、請求項１３に記載のシステム。
【請求項１５】
前記第１のチューナおよび前記第２のチューナが、前記デジタル格納装置に配置されている、請求項１２に記載のシステム。
【請求項１６】
前記第１のテレビ番組に関連する番組情報を記録する手段と、前記第２のテレビ番組に関連する番組情報を記録する手段とをさらに備える、請求項１２に記載のシステム。
【請求項１７】
その放送時間が前記第１のテレビ番組および前記第２のテレビ番組の放送時間に少なくとも部分的に重なる少なくとも１つの他のテレビ番組を前記デジタル格納装置に記録する少なくとも１つのユーザ選択を受信する手段と、
該少なくとも１つの他のユーザ選択の受信に応答して、該少なくとも１つの他のテレビ番組に対応する少なくとも１つの他のチャネルに少なくとも１つの他のチューナを同調させる手段と、
前記第１のチューナおよび前記第２のチューナの出力と共に該少なくとも１つの他のチューナの出力を該デジタル格納装置に同時に記録する手段と
をさらに備える、請求項１２に記載のシステム。
【請求項１８】
前記第１のテレビ番組および前記第２のテレビ番組のうちの一方をユーザが再生したいという希望を示すときに、検索リクエストを生成する手段と、
該第１のテレビ番組および該第２のテレビ番組のうちの所望のテレビ番組を前記デジタル格納装置から検索する手段と、
該所望のテレビ番組を再生する手段と
をさらに備える、請求項１２に記載のシステム。
【請求項１９】
前記所望のテレビ番組を高速早送りしたいという希望を示す機会を前記ユーザに与える手段と、
前記テレビ番組を高速早送りしたいという希望を該ユーザが示したことに応答して、前記所望のテレビ番組を高速早送りする手段と
をさらに備える、請求項１８に記載のシステム。
【請求項２０】
前記所望のテレビ番組を巻き戻したいという希望を示す機会を前記ユーザに与える手段と、
該所望のテレビ番組を巻き戻したいという希望を該ユーザが示したことに応答して、該所望のテレビ番組を巻き戻す手段と
をさらに備える、請求項１８に記載のシステム。
【請求項２１】
前記所望のテレビ番組を停止させたいという希望を示す機会を前記ユーザに与える手段と、
該所望のテレビ番組を停止させたいという希望を該ユーザが示したことに応答して、該所望のテレビ番組を停止させる手段と
をさらに備える、請求項１８に記載のシステム。
【請求項２２】
前記所望のテレビ番組を一時停止させたいという希望を示す機会を前記ユーザに与える手段と、
該所望のテレビ番組を一時停止させたいという希望を該ユーザが示したことに応答して、該所望のテレビ番組を一時停止させる手段と
をさらに備える、請求項１８に記載のシステム。